(57)【要約】【課題】吊り上げ用フックを引っ掛けるための部分を簡単に確保することのできるワイヤーハーネスの製造方法を提供する。【解決手段】２本のピン１１２のうちの１本に上から嵌合することのできる筒状のキャップ１１と、キャップと間隔をおいて平行に配された第３のピン１２と、キャップの下端と第３のピンの下端とを連結する連結部１３とを有する補助治具１０を用意し、補助治具のキャップを、突き出た２本のピンのうちの１本に上から嵌合して、第３のピンが一番外側に位置するように補助治具を装着し、３つのピンがほぼ一列に並ぶ三叉状のフォーク２０を形成する。三叉状のフォーク２０の内部に複数の電線Ｗａを収容する際に、キャップを被せた中央に位置するピンの両側に電線を振り分けて収容し、その状態を保ちながら必要箇所にテープ巻きして、束ねた電線をフォークから外すことにより、吊り上げフックの引っ掛け可能なスリットを確保する。【選択図】図１
2010273471.tif 000002
【特許請求の範囲】
【請求項１】
配索台上に設置したＵ字状のフォークの内部に複数の電線を収容しながら、所定の経路に沿って電線を配索して、必要箇所にテープ巻きを施すことにより、一体に束ねたワイヤーハーネスを得るワイヤーハーネスの製造方法において、
前記Ｕ字状のフォークを構成する上に突き出た２本のピンのうちの１本に上から嵌合することのできる筒状のキャップと、該キャップと間隔をおいて平行に配された第３のピンと、前記キャップの下端と前記第３のピンの下端とを連結する連結部とを有することで側面視Ｕ字状に構成された補助治具を用意し、
その補助治具の前記キャップを、前記Ｕ字状のフォークを構成する上に突き出た２本のピンのうちの１本に上から嵌合して、前記第３のピンが一番外側に位置するように前記補助治具を装着して、それにより、前記３つのピンがほぼ一列に並ぶ三叉状のフォークを形成し、
該三叉状のフォークの内部に複数の電線を収容する際に、前記キャップを被せた中央に位置するピンの両側に電線を振り分けて収容し、その状態を保ちながら必要箇所にテープ巻きを施して、束ねた電線をフォークから外すことにより、前記中央のピンの存在した箇所に、吊り上げフックの引っ掛け可能なスリットを確保することを特徴とする吊り上げフックの引っ掛け部を有するワイヤーハーネスの製造方法。
【請求項２】
請求項１に記載のワイヤーハーネスの製造方法に使用される配索治具であって、
配索台上に固定される支持ベースの支柱の上端に、上に突き出た２本のピンにより構成されたＵ字状のフォークを有する主配索治具と、該主配索治具に着脱可能に装着される補助治具とからなり、
該補助治具が、前記主配索治具の前記Ｕ字状のフォークを構成する上に突き出た２本のピンのうちの１本に上から嵌合することのできる筒状のキャップと、該キャップと間隔をおいて平行に配された第３のピンと、前記キャップの下端と前記第３のピンの下端とを連結する連結部とを有することで側面視Ｕ字状に構成されていることを特徴とするワイヤーハーネス製造用の配索治具。
【発明の詳細な説明】
【技術分野】
【０００１】
本発明は、引上装置の吊り上げフックの引っ掛け部を有するワイヤーハーネスの製造方法、および、その製造方法の実施に使用する配索治具に関するものである。
【背景技術】
【０００２】
自動車には大量のワイヤーハーネスが使用されており、資源の有効活用の点から、廃車時にはワイヤーハーネスの取り外しが行われている。
【０００３】
ワイヤーハーネスを車両から取り外す場合、一般的には、引上装置のフックをワイヤーハーネスに引っ掛けて強引に吊り上げることで引き剥がしを行っているが、フックを引っ掛ける箇所が見つからないことがある。
【０００４】
そこで、ワイヤーハーネスにフックを引っ掛けるための紐状体を予め取り付けておいたり、電線束の間にフックを引っ掛けるためのスリットを設けておいたりすることが提案されている（例えば、特許文献１、特許文献２参照）。
【０００５】
図３を用いて、フックを引っ掛けるための紐状体を有するワイヤーハーネスを製造する場合の工程を説明する。まず、（ａ）、（ｂ）のような支持ベース１１１の支柱の上端にＵ字状のフォーク１１０を有する配索治具１００を用意し、Ｕ字状フォーク１１０の上に突き出た２本のピン１１２の間に複数の電線Ｗａを収容しながら、電線Ｗａを所定の経路に沿って配索する。そして、テープ巻きにより結束して、一体のワイヤーハーネスＷを作る際に、（ｃ）のように、紐状体１２０を一緒に取り付けておき、紐状体１２０の輪の部分にフック２００を引っ掛けられるようにしておく。
【先行技術文献】
【特許文献】
【０００６】
【特許文献１】特開２００３−２１９５２５号公報
【特許文献２】特開２００３−２２９０２５号公報
【発明の概要】
【発明が解決しようとする課題】
【０００７】
ところで、このように紐状体１２０を取り付けた場合は、ワイヤーハーネスＷを梱包状態から取り出すときに紐状体１２０が絡まりやすいという問題がある。また、梱包する際には、小さく折り曲げて梱包することになるが、ワイヤーハーネスＷを構成する電線Ｗａが集中して収束されている場合には、その箇所が硬く太くなるため、図３（ｃ）に示すように小さい曲率で曲げにくくなり、ワイヤーハーネスＷに無理な負担を加えながら梱包せざるを得なくなっていた。
【０００８】
また、特許文献２には、電線束の間に予めフックを引っ掛けるためのスリットを設けておくことが提案されているが、スリットを電線束の間に設けること自体が難しかった。
【０００９】
本発明は、上記事情を考慮し、フックを引っ掛けるための部分を簡単に確保することのできるワイヤーハーネスの製造方法、および、その方法の実施に直接使用する配索治具を提供することを目的とする。
【課題を解決するための手段】
【００１０】
請求項１の発明は、配索台上に設置したＵ字状のフォークの内部に複数の電線を収容しながら、所定の経路に沿って電線を配索して、必要箇所にテープ巻きを施すことにより、一体に束ねたワイヤーハーネスを得るワイヤーハーネスの製造方法において、前記Ｕ字状のフォークを構成する上に突き出た２本のピンのうちの１本に上から嵌合することのできる筒状のキャップと、該キャップと間隔をおいて平行に配された第３のピンと、前記キャップの下端と前記第３のピンの下端とを連結する連結部とを有することで側面視Ｕ字状に構成された補助治具を用意し、その補助治具の前記キャップを、前記Ｕ字状のフォークを構成する上に突き出た２本のピンのうちの１本に上から嵌合して、前記第３のピンが一番外側に位置するような位置関係となし、それにより、前記３つのピンがほぼ一列に並ぶ三叉状のフォークを形成し、該三叉状のフォークの内部に複数の電線を収容する際に、前記キャップを被せた中央に位置するピンの両側に電線を振り分けて収容し、その状態を保ちながら必要箇所にテープ巻きを施して、束ねた電線をフォークから外すことにより、前記中央のピンの存在した箇所に、吊り上げフックの引っ掛け可能なスリットを確保することを特徴とする。
【００１１】
請求項２の発明は、請求項１に記載のワイヤーハーネスの製造方法に使用される配索治具であって、配索台上に固定される支持ベースの支柱の上端に、上に突き出た２本のピンにより構成されたＵ字状のフォークを有する主配索治具と、該主配索治具に着脱可能に装着される補助治具とからなり、該補助治具が、前記主配索治具の前記Ｕ字状のフォークを構成する上に突き出た２本のピンのうちの１本に上から嵌合することのできる筒状のキャップと、該キャップと間隔をおいて平行に配された第３のピンと、前記キャップの下端と前記第３のピンの下端とを連結する連結部とを有することで側面視Ｕ字状に構成されていることを特徴とする。
【発明の効果】
【００１２】
請求項１の発明によれば、三叉状のフォークの内部に複数の電線を収容する際に、中央のピンの両側に電線を振り分けて収容し、その状態を保ちながら必要箇所にテープ巻きを施して、束ねた電線をフォークから外すことにより、中央のピンの存在した箇所に、吊り上げフックの引っ掛け可能なスリットを確保するので、電線束の間に簡単にフックの引っ掛け部分を用意することができる。従って、従来例の紐状体を取り付ける場合のように製造上の面倒がない上、梱包状態から取り出す際に絡まる心配もない。また、電線束の間にスリットが存在することにより、電線束が２つの細い束に分割されるので、その部分でワイヤーハーネスを曲げやすくなり、梱包時に余計な負担がかかることもない。また、既存の二叉状（Ｕ字状）のフォークを有する配索治具を主配索治具としてそのまま使用できるので、既存設備の変更をせずに実施が可能である。
【００１３】
請求項２の発明によれば、既存の二叉状（Ｕ字状）のフォークを有する配索治具を主配索治具として使用しつつ補助治具を追加するだけで、三叉状のフォークを有する配索治具を作ることができるので、簡単な構成により請求項１の製造方法を実施することができる。
【図面の簡単な説明】
【００１４】
【図１】本発明の実施形態の製造方法の説明図で、（ａ）は主配索治具に補助治具を装着する前の状態を示す正面図、（ｂ）は（ａ）のＡ矢視図、（ｃ）は主配索治具に補助治具を装着して三叉状のフォークを有する配索治具を作り、その配索治具のフォークに電線を収容している状態を示す正面図である。
【図２】（ａ）は図１（ｃ）の状態を上から見た図、（ｂ）は出来上がったワイヤーハーネスのスリットにフックを引っ掛けようとしている状態を示す図である。
【図３】（ａ）は前記スリットを確保した部分を曲げた状態を示す斜視図、（ｂ）はその状態を上から見た図である。
【図４】従来のワイヤーハーネスの製造方法の説明図で、（ａ）は二叉状のフォークに電線を配索しているときの状態を示す正面図、（ｂ）はそのときの状態を上から見た平面図、（ｃ）はワイヤーハーネスを作る際にフックを引っ掛けるための紐状体を一緒に取り付けた状態を示す側面図、（ｄ）は従来のワイヤーハーネスの曲げにくさを示す図である。
【発明を実施するための形態】
【００１５】
以下、本発明の実施形態を図面を参照して説明する。
【００１６】
図１および図２は実施形態のワイヤーハーネスの製造方法の説明図である。
【００１７】
このワイヤーハーネスＷを製造する場合は、図示しない配索台上に配索治具１をセットする。
【００１８】
図１に示すように、配索治具１は、既存品をそのまま使用した主配索治具１１０と、その主配索治具１１０に着脱可能に装着される補助治具１０とからなるもので、主配索治具１１０は、配索台上に固定される支持ベース１１１の支柱の上端に、上に突き出た２本のピン１１２により構成されたＵ字状のフォーク１１０を有するものである。
【００１９】
補助治具１０は、主配索治具１１０のＵ字状のフォーク１１０を構成する上に突き出た２本のピン１１２のうちの１本に上から嵌合することのできる筒状のキャップ１１と、該キャップ１１と間隔をおいて平行に配された第３のピン１２と、キャップ１１の下端と第３のピン１２の下端とを連結する連結部１３とを有する側面視Ｕ字状の部品である。キャップ１１の内部には、下端に開口１４ａを有する穴１４が設けられている。
【００２０】
ワイヤーハーネスＷを製造する際には、図１（ｂ）に示すように、まず、補助治具１０のキャップ１１を、主配索治具１１０の２本のピン１１２のうちの１本に上から嵌合して、第３のピン１２が一番外側に位置するように補助治具１０を装着し、それにより、３つのピン１２、１１２、１１２がほぼ一列に並ぶ三叉状のフォーク２０を形成する。
【００２１】
次に、三叉状のフォーク２０の内部に複数の電線Ｗａを収容しながら、所定の経路に沿って電線Ｗａを配索して、必要箇所にテープ巻きを施すことにより、一体に束ねたワイヤーハーネスＷを得る。その際、図１（ｃ）および図２（ａ）に示すように、三叉状のフォーク２０の内部に複数の電線Ｗａを収容するときに、キャップ１１を被せた中央に位置するピン１１２の両側に電線Ｗａを振り分けて収容し、その状態を保ちながら必要箇所にテープ巻きを施して、束ねた電線Ｗａをフォーク２０から外すことにより、中央のピン１１２の存在した箇所に、図２（ｃ）に示すように、吊り上げフック２００の引っ掛け可能なスリットＳを確保する。
【００２２】
このように三叉状のフォーク２０を有する配線治具１を用いることで、電線束の間に簡単にフック２００の引っ掛け部分であるスリットＳを確保することができる。従って、従来例の紐状体を取り付ける場合のように製造上の面倒がない上、梱包状態から取り出す際に絡まる心配もない。また、電線束の間にスリットＳが存在することにより、図３に示すように、電線束が２つの細い束Ｗ１に分割されるので、その部分でワイヤーハーネスＷを曲げやすくなり、梱包時に余計な負担がかかることもない。
【００２３】
また、既存の二叉状（Ｕ字状）のフォーク１１０を有する配索治具１００を主配索治具としてそのまま使用できるので、補助治具１０を追加して用意するだけで、既存設備の変更をせずに実施が可能である。
【符号の説明】
【００２４】
１  配索治具
１０  補助治具
１１  キャップ
１２  第３のピン
１３  連結部
２０  三叉状のフォーク
１００  主配索治具
１１０  二叉状のフォーク
１１２  ピン
２００  フック
Ｗ  ワイヤーハーネス
Ｗａ  電線
Ｓ  スリット
【図１】
2010273471.tif 000003
【図２】
2010273471.tif 000004
【図３】
2010273471.tif 000005
【図４】
2010273471.tif 000006